(57)【要約】【課題】  サーバとの間で情報更新にかかる通信を効率化して、サーバより提供される各コンテンツの紹介を必要な期間、必要最小限の情報から適宜表示できるようにすることを課題とする。【解決手段】  携帯電話に保存されているアーティスト情報に基づいて有効期限を判断し（ステップＳ４０２）、有効期限を過ぎている場合にはサーバにアクセスしてアーティスト情報を取得し（ステップＳ４０５）、アーティスト情報に含まれる表示開始日にしたがって表示できるアーティストの表示データに基づいてリスト表示を行う（ステップＳ４０７、ステップＳ４０８）。有効期限内の場合には、サーバより更新の必要なアーティスト情報のみを取得する。【選択図】  図８
2005110006.tif 000002
【特許請求の範囲】
【請求項１】
ネットワークを介してサーバに接続可能な携帯端末装置であって、
日時を計時する日時計時手段と、
前記サーバに接続してコンテンツ毎に少なくともタイトル情報と期限情報とを対応させたリスト情報をダウンロードするダウンロード手段と、
前記ダウンロード手段でダウンロードしたリスト情報を記憶する記憶手段と、
前記サーバに接続する場合、前記日時計時手段で計時した日時と前記記憶手段に記憶された期限情報とを比較する比較手段と、
前記比較手段の比較結果にしたがって前記記憶手段に記憶されたタイトル情報の一部に基づいてタイトルを表示するタイトル表示手段と、
前記比較手段の比較結果にしたがって前記記憶手段に記憶されたリスト情報の一部を前記ダウンロード手段を用いて更新するリスト更新手段と、
を備えたことを特徴とする携帯端末装置。
【請求項２】
前記期限情報には、表示を許可する期限を示す表示開始日が含まれており、前記タイトル表示手段は、前記比較手段の比較結果により前記日時が前記表示開始日を満たしている間は該当するタイトルの表示を実行することを特徴とする請求項１に記載の携帯端末装置。
【請求項３】
前記期限情報には、有効期限が含まれており、前記リスト更新手段は、前記比較手段の比較結果により前記日時が前記有効期限を超過した場合に更新を実行することを特徴とする請求項１または２に記載の携帯端末装置。
【請求項４】
前記サーバとの通信は、パケット通信であることを特徴とする請求項１，２または３に記載の携帯端末装置。
【請求項５】
前記コンテンツは、着信メロディであることを特徴とする請求項１〜４のいずれか１つに記載の携帯端末装置。
【請求項６】
ネットワークを介してサーバに接続可能な携帯端末装置のコンピュータにより実行可能なプログラムであって、
前記コンピュータに、
前記サーバに接続してコンテンツ毎に少なくともタイトル情報と期限情報とを対応させたリスト情報をダウンロードする第１ステップと、
前記第１ステップでダウンロードしたリスト情報をメモリに記憶する第２ステップと、
前記サーバに接続する場合、供給される日時と前記メモリに記憶された期限情報とを比較する第３ステップと、
前記第３ステップの比較結果にしたがって前記メモリに記憶されたタイトル情報の一部に基づいてタイトルを表示する第４ステップと、
前記第３ステップの比較結果にしたがって前記メモリに記憶されたリスト情報の一部を前記第１ステップを用いて更新する第５ステップと、
を実行させることを特徴とするプログラム。
【請求項７】
前記期限情報には、表示を許可する期限を示す表示開始日が含まれており、前記第４ステップは、前記第３ステップの比較結果により前記日時が前記表示開始日を満たしている間は該当するタイトルの表示を実行することを特徴とする請求項６に記載のプログラム。
【請求項８】
前記期限情報には、有効期限が含まれており、前記第５ステップは、前記第３ステップの比較結果により前記日時が前記有効期限を超過した場合に更新を実行することを特徴とする請求項６または７に記載のプログラム。
【請求項９】
前記コンテンツは、着信メロディであることを特徴とする請求項６、７または８に記載のプログラム。
【請求項１０】
ネットワークを介してサーバに接続可能な携帯端末装置におけるコンテンツのリスト表示方法であって、
前記サーバに接続してコンテンツ毎に少なくともタイトル情報と期限情報とを対応させたリスト情報をダウンロードする第１ステップと、
前記第１ステップでダウンロードしたリスト情報をメモリに記憶する第２ステップと、
前記サーバに接続する場合、供給される日時と前記メモリに記憶された期限情報とを比較する第３ステップと、
前記第３ステップの比較結果にしたがって前記メモリに記憶されたタイトル情報の一部に基づいてタイトルを表示する第４ステップと、
前記第３ステップの比較結果にしたがって前記メモリに記憶されたリスト情報の一部を前記第１ステップを用いて更新する第５ステップと、
を含んだことを特徴とするコンテンツのリスト表示方法。
【請求項１１】
前記期限情報には、表示を許可する期限を示す表示開始日が含まれており、前記第４ステップは、前記第３ステップの比較結果により前記日時が前記表示開始日を満たしている間は該当するタイトルの表示を実行することを特徴とする請求項１０に記載のコンテンツのリスト表示方法。
【請求項１２】
前記期限情報には、有効期限が含まれており、前記第５ステップは、前記第３ステップの比較結果により前記日時が前記有効期限を超過した場合に更新を実行することを特徴とする請求項１０または１１に記載のコンテンツのリスト表示方法。
【請求項１３】
前記コンテンツは、着信メロディであることを特徴とする請求項１０、１１または１２に記載のコンテンツのリスト表示方法。
【発明の詳細な説明】
【技術分野】
【０００１】
本発明は、携帯端末装置、プログラムまたはコンテンツのリスト表示方法に関するものである。
【背景技術】
【０００２】
移動体通信網を介して携帯端末がサービス提供サイトにアクセスし、音楽などのコンテンツに関する情報を取得するシステムは、すでに多くのユーザに利用されている。
【０００３】
携帯端末に保存されているコンテンツについては、携帯端末がサービス提供サイトにアクセスした際にすでにダウンロードされているコンテンツの更新情報をメッセージとして受け取るか、コンテンツ自体に各種の期限が設定され、コンテンツの実行時に更新情報などを確認することにより、ユーザの操作で更新の手続きが踏まれている。
【０００４】
最近は、携帯端末がコンテンツ自体の有効期限を判断してコンテンツサーバにアクセスしてバージョンアップを行う仕組みが提案されている（特許文献１）。  
【特許文献１】特開２００２−３２８８０８号公報
【発明の開示】
【発明が解決しようとする課題】
【０００５】
現在の移動体通信システムは、通信速度が遅いために最初のページを表示するのに時間がかかっていた。
【０００６】
また、このシステムは、携帯端末のパケット使用量に対して課金する仕組みなので、今日、サービスを提供するウェブサイトより必要最小限の情報を携帯端末に送ることで、情報の更新回数を減少させることが望まれている。
【０００７】
ユーザがコンテンツに関して必要な情報には、コンテンツ自体もあるが、音楽であれば、これから発売されるＣＤのリリース情報などのようにニュースとしての情報がある。
【０００８】
たとえば、ＣＤのリリース情報となると、アーティストの数が膨大であり、各アーティストの発売日が不定期に決定される性質をもつ情報であるため、ユーザがリリース情報について最新の更新情報を得ようとすれば、頻繁なアクセスが必須となる。この場合には、更新情報を取得するために膨大なパケット量が発生し、コストが嵩むという危惧がある。
【０００９】
本発明の目的は、移動体通信において情報の更新にかかる通信を効率化して、起動時間を短縮化することが可能な携帯端末装置、プログラムまたはコンテンツのリスト表示方法を提供する点にある。
【００１０】
また、本発明の目的は、サーバより提供されるコンテンツに関する情報を必要な期間、必要最小限の情報から適宜表示させることが可能な携帯端末装置、プログラムまたはコンテンツのリスト表示方法を提供する点にある。
【課題を解決するための手段】
【００１１】
上述した課題を解決し、上記目的を達成するため、請求項１の発明に係る携帯端末装置は、ネットワークを介してサーバに接続可能な携帯端末装置であって、日時を計時する日時計時手段と、前記サーバに接続してコンテンツ毎に少なくともタイトル情報と期限情報とを対応させたリスト情報をダウンロードするダウンロード手段と、前記ダウンロード手段でダウンロードしたリスト情報を記憶する記憶手段と、前記サーバに接続する場合、前記日時計時手段で計時した日時と前記記憶手段に記憶された期限情報とを比較する比較手段と、前記比較手段の比較結果にしたがって前記記憶手段に記憶されたタイトル情報の一部に基づいてタイトルを表示するタイトル表示手段と、前記比較手段の比較結果にしたがって前記記憶手段に記憶されたリスト情報の一部を前記ダウンロード手段を用いて更新するリスト更新手段と、を備えたことを特徴とするものである。
【００１２】
請求項２の発明は、請求項１において、前記期限情報には、表示を許可する期限を示す表示開始日が含まれており、前記タイトル表示手段は、前記比較手段の比較結果により前記日時が前記表示開始日を満たしている間は該当するタイトルの表示を実行するようにしてもよい。
【００１３】
請求項３の発明は、請求項１または２において、前記期限情報には、有効期限が含まれており、前記リスト更新手段は、前記比較手段の比較結果により前記日時が前記有効期限を超過した場合に更新を実行するようにしてもよい。
【００１４】
請求項４の発明は、請求項１，２または３において、前記サーバとの通信は、パケット通信であってもよい。
【００１５】
請求項５の発明は、請求項１〜４のいずれか１つにおいて、前記コンテンツは、着信メロディであってもよい。
【００１６】
また、請求項６の発明に係るプログラムは、ネットワークを介してサーバに接続可能な携帯端末装置のコンピュータにより実行可能なプログラムであって、前記コンピュータに、前記サーバに接続してコンテンツ毎に少なくともタイトル情報と期限情報とを対応させたリスト情報をダウンロードする第１ステップと、前記第１ステップでダウンロードしたリスト情報をメモリに記憶する第２ステップと、前記サーバに接続する場合、供給される日時と前記メモリに記憶された期限情報とを比較する第３ステップと、前記第３ステップの比較結果にしたがって前記メモリに記憶されたタイトル情報の一部に基づいてタイトルを表示する第４ステップと、前記第３ステップの比較結果にしたがって前記メモリに記憶されたリスト情報の一部を前記第１ステップを用いて更新する第５ステップと、を実行させることを特徴とするものである。
【００１７】
請求項７の発明は、請求項６において、前記期限情報には、表示を許可する期限を示す表示開始日が含まれており、前記第４ステップは、前記第３ステップの比較結果により前記日時が前記表示開始日を満たしている間は該当するタイトルの表示を実行するようにしてもよい。
【００１８】
請求項８の発明は、請求項６または７において、前記期限情報には、有効期限が含まれており、前記第５ステップは、前記第３ステップの比較結果により前記日時が前記有効期限を超過した場合に更新を実行するようにしてもよい。
【００１９】
請求項９の発明は、請求項６、７または８において、前記コンテンツは、着信メロディであってもよい。
【００２０】
また、請求項１０の発明に係るコンテンツのリスト表示方法は、ネットワークを介してサーバに接続可能な携帯端末装置におけるコンテンツのリスト表示方法であって、前記サーバに接続してコンテンツ毎に少なくともタイトル情報と期限情報とを対応させたリスト情報をダウンロードする第１ステップと、前記第１ステップでダウンロードしたリスト情報をメモリに記憶する第２ステップと、前記サーバに接続する場合、供給される日時と前記メモリに記憶された期限情報とを比較する第３ステップと、前記第３ステップの比較結果にしたがって前記メモリに記憶されたタイトル情報の一部に基づいてタイトルを表示する第４ステップと、前記第３ステップの比較結果にしたがって前記メモリに記憶されたリスト情報の一部を前記第１ステップを用いて更新する第５ステップと、を含んだことを特徴とするものである。
【００２１】
請求項１１の発明は、請求項１０において、前記期限情報には、表示を許可する期限を示す表示開始日が含まれており、前記第４ステップは、前記第３ステップの比較結果により前記日時が前記表示開始日を満たしている間は該当するタイトルの表示を実行するようしてもよい。
【００２２】
請求項１２の発明は、請求項１０または１１において、前記期限情報には、有効期限が含まれており、前記第５ステップは、前記第３ステップの比較結果により前記日時が前記有効期限を超過した場合に更新を実行するようにしてもよい。
【００２３】
請求項１３の発明は、請求項１０、１１または１２において、前記コンテンツは、着信メロディであってもよい。
【発明の効果】
【００２４】
本発明によれば、移動体通信において情報の更新にかかる通信を効率化して、サーバより提供されるコンテンツに関する情報を必要な期間、必要最小限の情報から適宜表示させることが可能な携帯端末装置、プログラムまたはコンテンツのリスト表示方法を提供できるという効果を奏する。
【発明を実施するための最良の形態】
【００２５】
以下、添付図面を参照して本発明に係る一実施の形態を詳述する。
【００２６】
まず、システムについて説明する。図１は本発明の一実施の形態によるリスト表示システムを示す概略図である。本実施の形態によるリスト表示システムは、サーバより各携帯端末にコンテンツに関するリリース情報をリストとして配信し、各携帯端末において表示に関する期限情報にしたがって該当するリリース情報を表示するとともに、定期あるいは不定期に全体の更新を図るものである。以下にリリース情報の一例として音楽ＣＤのリリースに関するアーティスト情報を例に挙げる。
【００２７】
図１に示したリスト表示システムは、たとえば複数の携帯端末（携帯電話１を代表例とする）とサーバ５間を基地局２（代表）、移動体通信網３およびインターネット４を介して通信を行う構成である。
【００２８】
携帯電話１は、上述したアーティスト情報ＲＩＮＦを記憶するとともに、本実施の形態によるリスト表示システムを実現するアプリケーションＭＡＰによりアーティスト情報ＲＩＮＦに基づいてリスト表示を制御する。サーバ５は、アーティスト情報を蓄積しているアーティスト情報ＤＢ６を接続させ、本実施の形態によるリスト表示システムを実現するアプリケーションＳＡＰにより各携帯端末にアーティスト情報を配信する。
【００２９】
つづいて携帯端末のひとつである携帯電話について説明する。図２は本実施の形態による携帯電話の内部構成例を示すブロック図、図３は本実施の形態によるレコード情報のフォーマット例を説明する図、そして、図４は本実施の形態による表示例を示す図である。
【００３０】
本実施の形態の携帯電話１は、たとえば図２に示したように、内部バス１１３に、通信処理部１０２、音声処理部１０５、ＣＰＵ１０６、ＲＯＭ１０７、ＲＡＭ１０８、キー群１１１、ディスプレイ１１２などを接続させ、データ、アドレス信号、制御信号などを伝送させることで各種の処理を実現する構成である。
【００３１】
通信処理部１０２は、アンテナ１０１に接続され、アンテナ１０１を介してあとえば基地局２と通信を行うものである。この通信処理部１０２により、音声通話やサーバ５との通信を実現することができる。音声処理部１０５は、音声出力のためのスピーカ１０３、音声入力のためのマイク１０４をそれぞれ接続させており、受話時や送話時の音声処理を行うものである。
【００３２】
ＣＰＵ１０６は、携帯電話１全体の制御をＲＯＭ１０７に格納されたＯＳにしたがって行うものである。このＣＰＵ１０６は、内部クロックにより時刻の計時や日付を処理する機能も備えている。ＲＯＭ１０７は、あらかじめインストールされているＯＳなどのプログラムを格納している。ＣＰＵ１０６は、携帯用の各種アプリケーション（たとえばＪＡＶＡ（登録商標）アプリケーション）により本実施の形態によるリスト表示などの処理を制御する。また、このＣＰＵ１０６は、キー群１１０からの入力を受け付けて各種の処理を実行させたり、各種の処理に応じて表示を制御する。
【００３３】
ＲＡＭ１０８は、本実施の形態によるリスト表示を実現するためのアプリケーションＭＡＰ、各種処理を行うためのワークエリア１０９、アーティスト情報保存エリア１１０などを備えている。
【００３４】
アーティスト情報保存エリア１１０には、たとえば図３に示した内容のアーティスト情報が登録される。すなわち、アーティスト情報は、ヘッダ部分とデータ部分とにより構成される。ヘッダ部分には、有効期限を示す情報が格納される。この有効期限は、このアーティスト情報を表示可能な期間を示す。アプリケーションＭＡＰは、この有効期限を過ぎた場合はデータを取得しなおすように処理を実行する。
【００３５】
データ部分には、表示開始日、表示データ、制御データが格納される。表示開始日は、このアーティスト情報の表示を許可する日付を示す。アプリケーションＭＡＰは、この表示開始日に満たない日付の場合には、当データを表示しないように制御する。表示データは、表示を行うための文字データ、画像データ等により構成され、アーティスト名、ＣＤタイトルなどを示す。制御ＩＤは、表示データの選択動作が有った場合に使用する情報を示す。
【００３６】
キー群１１１は、電話番号、アドレスなどの入力を行ったり、後述するイベント実行時の入力を行ったりするための各種キーを備えている。ディスプレイ１１２は、画面を表示したり、電話やメールの機能を使うときに表示画面を形成するものである。
【００３７】
ディスプレイ１１２にアーティスト情報を表示させる場合には、たとえば図４に示したように、“お勧め曲”のようにリスト表示のタイトルを上段に表示させ、その下位に、アーティスト別にたとえば縦方向の並びでリリースに関する情報を列挙させる。このようにして、必要最小限の情報によりユーザにお勧め曲を紹介することが可能とする。
【００３８】
なお、ここで表示可能な情報（一画面から隠れている情報はスクロールにより露出可能）は、アーティスト情報保存エリア１１０に保存されているすべての情報ではなく、上述した有効期限内でかつ表示開始日により以降の表示を許可された情報のみとなる。
【００３９】
つぎにサーバシステムについて説明する。図５は本実施の形態によるサーバの内部構成例を示すブロック図であり、図６は本実施の形態によるアーティスト情報ＤＢの記憶内容の一例を説明する図である。
【００４０】
サーバ５は、たとえば図５に示したように、アーティスト情報ＤＢ６とのインタフェースを司るＤＢインタフェース５１、インターネット４に接続され、インターネット４を介して携帯電話との通信を制御したり、インターネット４に接続される各種端末との通信を制御する通信制御部５２、サーバ全体の制御を司る制御部５３、アプリケーションＳＡＰを記憶するとともに、ワークエリアなどの領域を有する記憶部５４などを備えている。
【００４１】
アーティスト情報ＤＢ６は、たとえば図６に示したように、有効期限に対応させて、表示開始日を示す表示開始日、曲名・アーティスト名・リリース日を含む表示データ、制御ＩＤが記憶されている。たとえば、有効期限が２００３．１０．１に対応するものは、表示開始日が２００３．９．２０、２００３．９．１８・・・である。たとえば２００３．９．２０（表示開始日）に対応するものは、表示データがＡＢＣ（曲名）、ｘｘｘｘ（アーティスト名）、２００３．９．１０（リリース日）、制御ＩＤがＩＤ１となっている。そのほかは、図６に示す通りである。
【００４２】
つぎに、動作について説明する。図７、図８および図９は本実施の形態によるリスト表示の動作を説明するフローチャートである。
【００４３】
まず、最初にアーティスト情報を入手するところから説明する（図７）。携帯電話１よりサーバ５に対してアーティスト情報が要求される（ステップＳ１０１）。サーバ５では、その要求が受け付けられると（ステップＳ３０１）、その要求に応じてアーティスト情報ＤＢ６よりアーティスト情報が読み出され、要求元の携帯電話１に対してアーティスト情報が送信される（ステップＳ３０２）。
【００４４】
携帯電話１では、サーバ５より送信されてきたアーティスト情報がまずワークエリア１０９にデータ展開され（ステップＳ１０２）、データ保存スレッドが起動される（ステップＳ１０３）。このスレッドにより、ワークエリア１０９上のアーティスト情報は、アーティスト情報保存エリア１１０に保存される（ステップＳ２０１）。そして、この保存スレッドは終了する。
【００４５】
そして携帯電話１においては、ワークエリア１０９上に展開されているアーティスト情報は、データ解析により、有効期限内で表示開始日に達している表示データおよび制御ＩＤが抽出される（ステップＳ１０４）。このとき、日付の確認処理が実行される。このようにして抽出されたアーティスト情報のみがディスプレイ１１２に表示される（ステップＳ１０５）。この後、画面制御処理が実行され、ユーザの操作などに応じて処理は終了する（ステップＳ１０６）。
【００４６】
つづいてすでにアーティスト情報が保存され、２回目以降のアーティスト情報のリスト表示について説明する（図８および図９）。まず、携帯電話１のアプリケーション起動後、アーティスト情報保存エリア１１０からワークエリア１０９にアーティスト情報がデータ展開される（ステップＳ４０１）。
【００４７】
そして、アーティスト情報が有効期限内かどうか判断される（ステップＳ４０２）。本実施の形態では、全アーティスト情報を更新対象とする設定であるが、本発明はこれに限定されず、アーティスト情報について有効期限を過ぎている情報のみ更新対象としてもよい。
【００４８】
ステップＳ４０２において有効期限外と判断された場合には、携帯電話１よりサーバ５に対してアーティスト情報が要求される（ステップＳ４０４）。サーバ５では、その要求が受け付けられると（ステップＳ６０１）、その要求に応じてアーティスト情報ＤＢ６よりアーティスト情報が読み出され、要求元の携帯電話１に対してアーティスト情報が送信される（ステップＳ６０２）。
【００４９】
携帯電話１では、サーバ５より送信されてきたアーティスト情報がまずワークエリア１０９にデータ展開され（ステップＳ４０５）、データ保存スレッドが起動される（ステップＳ４０６）。このスレッドにより、ワークエリア１０９上のアーティスト情報は、アーティスト情報保存エリア１１０に保存される（ステップＳ５０１）。そして、この保存スレッドは終了する。
【００５０】
そして携帯電話１においては、ワークエリア１０９上に展開されているアーティスト情報は、データ解析により、有効期限内で表示開始日付に達している表示データおよび制御ＩＤが抽出される（ステップＳ４０７）。このようにして抽出されたアーティスト情報のみがディスプレイ１１２に表示される（ステップＳ４０８）。この後、画面制御処理が実行され、ユーザの操作などに応じて処理は終了する（ステップＳ４０９）。
【００５１】
ステップＳ４０２において、有効期限内の場合には、ステップＳ４０３において次回表示データ要求・保存スレッド起動が処理される。まず携帯電話１よりサーバ５に対して次回表示すべきアーティスト情報が要求される（ステップＳ７０１）。ここで、次回表示すべきアーティスト情報とは、前回のダウンロード以降にあらたに追加されたアーティスト情報に相当する。
【００５２】
サーバ５では、その要求が受け付けられると（ステップＳ８０１）、その要求に応じてアーティスト情報ＤＢ６よりアーティスト情報が読み出され、要求元の携帯電話１に対してアーティスト情報が送信される（ステップＳ８０２）。ここで、ステップＳ７０２とステップＳ８０２の通信では、すでに更新済のアーティスト情報を伝送することは避ける。すなわち、アーティスト情報ＤＢ６に更新があった時にのみ携帯電話１へデータ送信が実行される。
【００５３】
携帯電話１では、サーバ５より送信されてきたアーティスト情報がまずワークエリア１０９にデータ展開される（ステップＳ７０２）。そして、ワークエリア１０９上のアーティスト情報は、アーティスト情報保存エリア１１０に保存される（ステップＳ７０３）。そして、この保存スレッドは終了して、処理はステップＳ４０７に移行する。以降は、前述の通りにステップＳ４０７においてアーティスト情報が画面表示され、ステップＳ４０９により画面制御処理が実行される。
【００５４】
以上説明したように本実施の形態によれば、サーバとの間で情報更新にかかる通信を効率化して、サーバより提供される各コンテンツの紹介を必要な期間、必要最小限の情報から適宜表示させることが可能である。
【００５５】
また、すでにダウンロードされた、将来の情報も含むリストから表示が許可されたものだけを起動時に即座に表示させることができるので、画面に表示されるリストがアーティスト情報に応じて日ごと、週ごとに変化することになり、毎回の起動時にアーティスト情報を更新させているような擬似的な仕組みを構築することが可能である。これにより、毎回新鮮なアーティスト情報を提供するので、ユーザをあきさせない効果も期待できる。
【産業上の利用可能性】
【００５６】
本発明は、携帯端末装置、プログラムまたはコンテンツのリスト表示方法を製造する産業で利用される。
【図面の簡単な説明】
【００５７】
【図１】本発明の一実施の形態によるリスト表示システムを示す概略図である。
【図２】本実施の形態による携帯電話の内部構成例を示すブロック図である。
【００５８】
【図３】本実施の形態によるレコード情報のフォーマット例を説明する図である。
【図４】本実施の形態による表示例を示す図である。
【００５９】
【図５】本実施の形態によるサーバの内部構成例を示すブロック図である。
【図６】本実施の形態によるアーティスト情報ＤＢの記憶内容の一例を説明する図である。
【００６０】
【図７】本実施の形態によるリスト表示の動作を説明するフローチャートである。
【図８】本実施の形態によるリスト表示の動作を説明するフローチャートである。
【００６１】
【図９】本実施の形態によるリスト表示の動作を説明するフローチャートである。
【符号の説明】
【００６２】
１  携帯電話
２  基地局
３  移動体通信網
４  インターネット
５  サーバ
６  アーティスト情報ＤＢ
５１  ＤＢインタフェース
５２  制御部
５３  通信制御部
５４  記憶部
１０２  通信処理部
１０６  ＣＰＵ
１０７  ＲＯＭ
１０８  ＲＡＭ
１０９  ワークエリア
１１０  アーティスト情報保存エリア
１１１  キー群
１１２  ディスプレイ
ＭＡＰ  アプリケーション
ＳＡＰ  アプリケーション
【図１】
2005110006.tif 000003
【図２】
2005110006.tif 000004
【図３】
2005110006.tif 000005
【図４】
2005110006.tif 000006
【図５】
2005110006.tif 000007
【図６】
2005110006.tif 000008
【図７】
2005110006.tif 000009
【図８】
2005110006.tif 000010
【図９】
2005110006.tif 000011